(57)【要約】【課題】  外部接続機器が着脱自在に接続される接続部に入力される所定の指令情報に基づいて、通信に関する動作と、撮像に関する動作とを行わせることができる利便性の向上された携帯型通信装置を提供する。【解決手段】  予め定める第１の動作条件で、外部接続機器４０から本体接続部２４に所定の指令情報が与えられると、無線部２０を制御して、音声情報の送信および受信に関連する動作を行わせることができ、予め定める第２の動作条件で、外部接続機器４０から本体接続部２４に所定の指令情報が与えられると、第２メモリ１０を制御して、撮像部８によって生成される画像情報を記憶させることができる。このように予め定める第１の動作条件と、予め定める第２の動作条件とにおいて、外部接続機器４０を本体接続部２４に接続して、所定の情報を本体接続部に与えるだけで、本体接続部２４に与えられる所定の情報に対応する動作を異ならせることができる。【選択図】      図１
2005277467.tif 000002
【特許請求の範囲】
【請求項１】
他の通信装置と通信し、少なくとも音声情報を送信および受信する通信部と、
被写体を撮像し、画像情報を生成する撮像部と、
画像情報を記憶する記憶部と、
音声情報を入力する本体音声入力部と、
音声情報を出力する本体音声出力部と、
外部接続部、この外部接続部に与えられる音声情報を出力する外部音声出力部、音声情報を入力して外部接続部に与える外部音声入力部、および所定の指令情報を入力して外部接続部に与える外部指令入力部を有し、外部音声出力部、外部音声入力部および外部指令入力部が外部接続部に対して相対的に移動可能である外部接続機器の前記外部接続部に、着脱自在に接続する本体接続部と、
受信した音声情報を、本体音声出力部および本体接続部の少なくともいずれか一方に与え、本体音声出力部および本体接続部の少なくともいずれか一方から入力される音声情報を送信するように通信部を制御し、予め定める第１の動作条件で、外部接続機器から本体接続部に所定の指令情報が与えられると、通信部を制御して、音声情報の送信および受信に関連する動作を行わせ、予め定める第２の動作条件で、外部接続機器から本体接続部に所定の指令情報が与えられると、記憶部を制御して、撮像部によって生成される画像情報を記憶させる制御部とを含むことを特徴とする携帯型通信装置。
【請求項２】
前記予め定める第２の動作条件は、制御部が、他の通信装置と通信を停止するように通信部を制御し、画像情報を生成するように撮像部を制御している状態を含むこと特徴とする請求項１記載の携帯型通信装置。
【請求項３】
本体接続部に与えられる所定の指令情報に基づいて、撮像部によって生成された画像情報を記憶部に記憶させるか否かを設定する設定手段を有し、
前記予め定める第２の動作条件は、設定手段によって、本体接続部に与えられる所定の指令情報に基づいて、撮像部によって生成された画像情報を記憶部に記憶させることが設定されている状態をさらに含むことを特徴とする請求項２記載の携帯型通信装置。
【請求項４】
前記通信情報は、他の通信装置からの通信要求を含み、
前記予め定める第１の動作条件は、通信部が前記通信要求を受信した状態を含み、
制御部は、通信部が前記通信要求を受信した状態を含む予め定める第１の動作条件で、外部接続機器から本体接続部に所定の指令情報が与えられると、音声情報の送受信を行うように通信部を制御して、通信部によって受信した音声情報を、少なくとも本体接続部に与え、本体接続部に与えられる音声情報を送信させるように通信部を制御することを特徴とする請求項１〜３のいずれか１つに記載の携帯型通信装置。
【請求項５】
前記予め定める第１の動作条件は、他の通信装置と通信している状態を含み、
制御部は、他の通信装置と通信している状態を含む予め定める第１の動作条件で、本体接続部に所定の指令情報が与えられると、音声情報の送信および受信を停止させるように通信部を制御することを特徴とする請求項１〜４のいずれか１つに記載の携帯型通信装置。
【請求項６】
他の通信装置に対応する予め定める通信先の情報を登録する通信先登録部を有し、
前記予め定める第１の動作条件は、他の通信装置と通信を停止するように通信部を制御しており、かつ通信先登録部に予め定める通知先が登録されている状態を含み、
制御部は、他の通信装置と通信を停止するように通信部を制御しており、かつ通信先登録部に予め定める通知先が登録されている状態を含む予め定める第１の動作条件で、本体接続部に所定の指令情報が与えられると、発信先登録部に登録される予め定める通知先に対応する他の通信装置と、通信するように通信部を制御することを特徴とする請求項１〜５のいずれか１つに記載の携帯型通信装置。
【請求項７】
前記本体音声出力部および本体接続部の少なくともいずか一方を選択する出力選択部を含み、
制御部は、指令情報が与えられたときに、出力選択部による選択に基づいて、本体音声出力部および本体接続部の少なくともいずれか一方に、記憶部に画像情報を記憶させることを表す音声情報を与えることを特徴とする請求項１〜６のいずれか１つに記載の携帯型通信装置。
【請求項８】
前記本体音声入力部および本体接続部の少なくともいずれか一方を選択する入力選択部を含み、
制御部は、入力選択部によって選択された本体音声入力部および本体接続部の少なくともいずれか一方から与えられる音声情報を、記憶部に記憶させることを特徴とする請求項１〜７のいずれか１つに記載の携帯型通信装置。
【発明の詳細な説明】
【技術分野】
【０００１】
本発明は、被写体を撮像する撮像部を有する携帯型通信装置に関する。
【背景技術】
【０００２】
第１の従来の技術では、オーディオ機能を搭載したデジタルカメラに、オーディオ操作とカメラ操作が可能なリモコンを備え、リモコンを操作することによって、オーディオモードにおいてオーディオ操作を行い、カメラモードにおいてカメラ操作を行っている（たとえば特許文献１参照）。
【０００３】
また第２の従来の技術では、携帯端末装置にイヤホンスピーカを接続して、イヤホンスピーカによって通話している（たとえば特許文献２参照）。
【０００４】
【特許文献１】特開２００１−２９２３５９号公報
【特許文献２】特開平１１−９８５９０号公報
【発明の開示】
【発明が解決しようとする課題】
【０００５】
撮像機能を有する携帯型通信装置では、装置の小形化を実現するために、撮像部によって生成される画像情報を記憶部に記憶させる指令情報を入力するための操作キー、いわゆるシャッタキーが、他の操作キーと兼用されている。したがって、このようなシャッタキーを操作するときに、携帯型通信装置本体にシャッタキーを操作する利用者の力が伝わって手ぶれが生じやすく、特に静止画像を取得する場合に、画像情報の品質が悪くなるという問題がある。
【０００６】
第１の従来の技術では、カメラ操作を行うためには、カメラ本体と常時接続されている専用のリモコンが必要となる。携帯型通信装置では、小形化を実現するために、このような専用のリモコンを設けることが難しいという問題がある。
【０００７】
第２の従来の技術では、イヤホンスピーカから携帯端末装置に、音声情報および音声情報に関連する情報しか入力することができない。
【０００８】
撮像機能を有する携帯型通信装置は、通信装置として機能するだけでなく、撮像装置として機能する。このような携帯型通信装置では、第２の従来の技術のように、イヤホンスピーカなどを接続する接続部を有する。このような接続部を介して携帯型通信装置に所定の指令情報を与えることによって、通信および撮像に関する動作を行わせることができる利便性の向上された携帯型通信装置が臨まれている。
【０００９】
本発明の目的は、外部接続機器が着脱自在に接続される接続部に入力される所定の指令情報に基づいて、通信に関する動作と、撮像に関する動作とを行わせることができる利便性の向上された携帯型通信装置を提供することである。
【課題を解決するための手段】
【００１０】
本発明は、他の通信装置と通信し、少なくとも音声情報を送信および受信する通信部と、
被写体を撮像し、画像情報を生成する撮像部と、
画像情報を記憶する記憶部と、
音声情報を入力する本体音声入力部と、
音声情報を出力する本体音声出力部と、
外部接続部、この外部接続部に与えられる音声情報を出力する外部音声出力部、音声情報を入力して外部接続部に与える外部音声入力部、および所定の指令情報を入力して外部接続部に与える外部指令入力部を有し、外部音声出力部、外部音声入力部および外部指令入力部が外部接続部に対して相対的に移動可能である外部接続機器の前記外部接続部に、着脱自在に接続する本体接続部と、
受信した音声情報を、本体音声出力部および本体接続部の少なくともいずれか一方に与え、本体音声出力部および本体接続部の少なくともいずれか一方から入力される音声情報を送信するように通信部を制御し、予め定める第１の動作条件で、外部接続機器から本体接続部に所定の指令情報が与えられると、通信部を制御して、音声情報の送信および受信に関連する動作を行わせ、予め定める第２の動作条件で、外部接続機器から本体接続部に所定の指令情報が与えられると、記憶部を制御して、撮像部によって生成される画像情報を記憶させる制御部とを含むことを特徴とする携帯型通信装置である。
【００１１】
また本発明は、前記予め定める第２の動作条件は、制御部が、他の通信装置と通信を停止するように通信部を制御し、画像情報を生成するように撮像部を制御している状態を含むこと特徴とする。
【００１２】
また本発明は、本体接続部に与えられる所定の指令情報に基づいて、撮像部によって生成された画像情報を記憶部に記憶させるか否かを設定する設定手段を有し、
前記予め定める第２の動作条件は、設定手段によって、本体接続部に与えられる所定の指令情報に基づいて、撮像部によって生成された画像情報を記憶部に記憶させることが設定されている状態をさらに含むことを特徴とする。
【００１３】
また本発明は、前記通信情報は、他の通信装置からの通信要求を含み、
前記予め定める第１の動作条件は、通信部が前記通信要求を受信した状態を含み、
制御部は、通信部が前記通信要求を受信した状態を含む予め定める第１の動作条件で、外部接続機器から本体接続部に所定の指令情報が与えられると、音声情報の送受信を行うように通信部を制御して、通信部によって受信した音声情報を、少なくとも本体接続部に与え、本体接続部に与えられる音声情報を送信させるように通信部を制御することを特徴とする。
【００１４】
また本発明は、前記予め定める第１の動作条件は、他の通信装置と通信している状態を含み、
制御部は、他の通信装置と通信している状態を含む予め定める第１の動作条件で、本体接続部に所定の指令情報が与えられると、音声情報の送信および受信を停止させるように通信部を制御することを特徴とする。
【００１５】
また本発明は、他の通信装置に対応する予め定める通信先の情報を登録する通信先登録部を有し、
前記予め定める第１の動作条件は、他の通信装置と通信を停止するように通信部を制御しており、かつ通信先登録部に予め定める通知先が登録されている状態を含み、
制御部は、他の通信装置と通信を停止するように通信部を制御しており、かつ通信先登録部に予め定める通知先が登録されている状態を含む予め定める第１の動作条件で、本体接続部に所定の指令情報が与えられると、発信先登録部に登録される予め定める通知先に対応する他の通信装置と、通信するように通信部を制御することを特徴とする。
【００１６】
また本発明は、前記本体音声出力部および本体接続部の少なくともいずか一方を選択する出力選択部を含み、
制御部は、指令情報が与えられたときに、出力選択部による選択に基づいて、本体音声出力部および本体接続部の少なくともいずれか一方に、記憶部に画像情報を記憶させることを表す音声情報を与えることを特徴とする。
【００１７】
また本発明は、前記本体音声入力部および本体接続部の少なくともいずれか一方を選択する入力選択部を含み、
制御部は、入力選択部によって選択された本体音声入力部および本体接続部の少なくともいずれか一方から与えられる音声情報を、記憶部に記憶させることを特徴とする。
【発明の効果】
【００１８】
本発明によれば、予め定める第１の動作条件で、外部接続機器から本体接続部に所定の指令情報が与えられると、通信部を制御して、音声情報の送信および受信に関連する動作を行わせることができ、予め定める第２の動作条件で、外部接続機器から本体接続部に所定の指令情報が与えられると、記憶部を制御して、撮像部によって生成される画像情報を記憶させることができる。このように予め定める第１の動作条件と、予め定める第２の動作条件とにおいて、外部接続機器を本体接続部に接続して、所定の情報を本体接続部に与えるだけで、本体接続部に与えられる所定の情報に対応する動作を異ならせることができる。
【００１９】
外部接続機器の、外部音声出力部、外部音声入力部および外部接続部は、外部接続部に対して相対的に移動可能であるので、外部指令入力部を利用者が操作しても、携帯型通信装置に利用者が外部指令入力部を操作するときの力が伝わることがない。したがって、予め定める第２の動作条件で、外部指令入力部によって所定の情報を入力すると、手ぶれのない、品質の向上された画像情報を記憶部に記憶させることができる。
【００２０】
また外部指令入力部による指令情報の入力によって、予め定める第１の動作条件では、制御部が通信に関連して動作するように通信部を制御し、予め定める第２の動作条件では、制御部が撮像に関連して動作するように記憶部を制御することができるので、利用者は所定の情報を入力するだけで、携帯型通信装置に複数種類の動作を行わせることができ、利便性をさらに向上させることができる。
【００２１】
また本発明によれば、制御部が、他の通信装置との通信を停止するように通信部を制御し、かつ画像を生成するように撮像部を制御している状態を含んで予め定める第２の動作条件とするので、通信部が通信しているときには、本体接続部に所定の情報が与えられても、撮像部によって生成される画像情報が記憶部に記憶されることが防止される。したがって、他の通信装置と通信しているときに、不所望に外部指令入力部から所定の情報が入力されて、生成された画像情報が記憶部に記憶されてしまうことが防止される。また撮像部によって画像情報が生成されているときに、本体接続部に所定の情報が与えられると、撮像部によって生成している画像情報を記憶部に記憶させるので、画像情報が記憶部に記憶されるまでの処理時間を短くすることができる。
【００２２】
また本発明によれば、設定手段によって、本体接続部に与えられる所定の指令情報に基づいて、撮像部によって生成された画像情報を記憶部に記憶させる設定されている状態をさらに含んで予め定める第２の動作条件とするので、外部指令入力部が不所望に操作されることによって、撮像部によって生成される画像情報が記憶部に記憶されることを防止することができる。
【００２３】
また本発明によれば、通信部が通信要求を受信したときに、外部接続機器から所定の指令情報が与えられると、音声情報を送信させるように通信部を制御する。外部接続機器の外部指令入力部によって所定の指令情報を入力するだけで、容易に他の通信装置への音声情報の送信し、および他の通信装置からの音声情報の受信することができ、利便性が向上する。
【００２４】
また本発明によれば、他の通信装置と通信している状態を含む予め定める第１の動作条件で、本体接続部に所定の指令情報が与えられると、制御部は音声情報の送信および受信を停止させるように通信部を制御するので、本体接続部に所定の指令情報を与えるだけで、容易に通信を停止させることができる。
【００２５】
また本発明によれば、制御部は、他の通信装置と通信を停止するように通信部を制御しており、かつ通信先登録部に予め定める通知先が登録されている状態を含む予め定める第１の動作条件で、接続部に所定の指令情報が与えられると、発信先登録部に登録される予め定める通知先に対応する他の通信装置と、通信するように通信部を制御する。したがって、外部接続部に所定の指令情報を与えるだけで、通信先登録部に登録されている予め定める通知先の他の通信装置と容易に通信することができ、利便性が向上される。
【００２６】
また本発明によれば、出力選択部によって、本体音声出力部が選択されると、本体音声出力部から記憶部に画像情報を記憶させることを表す音声情報を出力させることができ、出力選択部によって本体接続部が選択されると、記憶部に画像情報を記憶させることを表す音声情報を本体接続部に与えることができる。また本体音声出力部および本体接続部の両者が選択されると、本体音声出力部から記憶部に画像情報を記憶させることを表す音声情報を出力させるとともに、記憶部に画像情報を記憶させることを表す音声情報を本体接続部に与えることができる。
【００２７】
利用状況に応じて、記憶部に画像情報を記憶させることを表す音声情報を本体音声出力部および外部接続機器の外部音声出力部から出力するのかを出力選択部によって選択することができるので、利便性が向上する。
【００２８】
また本発明によれば、制御部が、入力選択部によって選択された本体音声入力部および本体接続部の少なくともいずれか一方から与えられる音声情報を、記憶部に記憶させることができる。使用状況に応じて、記憶部に記憶する音声情報を、本体音声入力部から入力するのか、外部接続機器の外部音声入力部から入力するのか、それとも両者から入力するのかを入力選択部によって選択することができるので、利便性が向上する。
【発明を実施するための最良の形態】
【００２９】
図１は、本発明の実施の一形態の携帯型通信装置１の構成を表すブロック図である。本実施の形態は、携帯型通信装置１を、カメラを搭載した折り畳み型の携帯電話機に適用した場合の一例である。携帯型通信装置１は、操作入力部である第１操作部２および第２操作部３と、表示部である第１表示部４および第２表示部５と、カメラ部６および画像処理部７有する撮像部８と、第１メモリ９と、第２メモリ１０と、制御部１１と、第１表示ドライバ部１２と、第２表示ドライバ部１３と、第１バックライトユニット１４と、第２バックライトユニット１５と、開閉検出部１６と、アンテナ部１７、無線部１８および通信制御部１９を有する無線部２０と、音声処理部２１と、本体音声入力部２２と、本体音声出力部２３と、本体接続部２４と、発光部２５とを含む。本実施の形態において画像データは、画像情報を表し、音声データは音声情報を表す。
【００３０】
第１操作部２は、数字データ、文字データ、および携帯型通信装置１への指令情報などの所定の情報を入力するための複数の操作キー２ａを有し、操作者が操作キー２ａを操作することによって、制御部１１に各操作キー２ａに対応した指令信号が与えられる。第１操作部２の操作キー２ａは、シャッタキーを含む。
【００３１】
第２操作部３は、携帯型通信装置１への指令情報などの所定の情報を入力するための複数の操作キー３ａおよびシャッタキー３ｂを有し、操作者がキー操作部３ａおよびシャッタキー３ｂを操作することによって、制御部１１にキー操作部３ａの各操作キーおよびシャッタキー３ｂに対応した指令信号が与えられる。
【００３２】
第１表示部４は、少なくとも前記第１操作部２によって入力される所定の情報に基づいて、画像情報および文字情報を含む表示内容を表示する。第１表示部４は、たとえばカラー表示可能な半透過半反射型液晶表示素子によって実現される。
【００３３】
第２表示部５は、前記第２操作部３の操作によって入力される情報に基づいて、画像情報および文字情報を含む表示内容を表示する。第２表示部５は、たとえばカラー表示可能な半透過半反射型液晶表示素子によって実現される。
【００３４】
前述した第１表示部４および第２表示部５は、カラー表示可能な半透過半反射型液晶表示素子によって実現されるが、必ずしもこれに限定されるものではない。たとえば第１表示部４および第２表示部５の少なくともいずれか１つを、カラー表示または白黒表示可能な透過型液晶表示素子、反射型液晶表示素子、エレクトロルミネッセンス（Electro
Luminescent；略称ＥＬ）素子、および白黒表示可能な半透過半反射型液晶表示素子のうちのいずれか１つによって実現してもよい。
【００３５】
撮像部８は、被写体を撮像し、入射する光を電気的な信号に変換し、画像情報を生成する。撮像部８は、カメラ部６および画像処理部７を含む。画像情報は、画像データによって表される。カメラ部６は、撮像レンズと、電荷結合素子（Charge Coupled Device；略称ＣＣＤ）イメージセンサおよび相補型モス（Complementary Metal Oxide
Semiconductor；略称ＣＭＯＳ）イメージセンサなどの撮像素子と、赤色（Ｒ），緑色（Ｇ）および青色（Ｂ）の３色のカラーフィルタと、マイクロレンズアレイとを含む。カメラ部６は、所定の被写体で反射されて撮像レンズに入射した光を、カラーフィルタを通してＲ，ＧおよびＢの３色光にし、Ｒ，ＧおよびＢの３色光をそれぞれ前記撮像素子によって電気信号に変換する。またカメラ部６は、制御部１１から与えられる制御信号に基づいて、前記撮像素子による前記３色光を電気信号に変換する。
【００３６】
画像処理部７は、増幅部、アナログ／デジタル（Analog／Digital；略称Ａ／Ｄ）変換部および信号処理部を含む。増幅部は、カメラ部６から与えられるＲ，ＧおよびＢの３色光のそれぞれに対応した電気信号を増幅し、Ａ／Ｄ変換部に与える。Ａ／Ｄ変換部は、増幅部で増幅されたＲ，ＧおよびＢに対応したアナログの電気信号をデジタルの電気信号に変換し、画像情報を表す画像データを生成して信号処理部に与える。信号処理部は、Ａ／Ｄ変換部から与えられる画像データに対して、画素の補間処理などの処理を行う。また画像処理部７は、制御部１１から与えられる制御信号に基づいて、信号処理を施した画像データを第１メモリ９に与える。
【００３７】
第１メモリ９は、画像処理部７から予め定める間隔をあけて連続的に与えられる画像データを一時的に記憶する。第１メモリ９には、画像処理部７から、たとえば１秒間に１０フレーム分の画像データが与えられ、与えられる画像データを更新して記憶する。第１メモリは、いわゆるＶＲＡＭ（Video Random Access Memory）であり、たとえば揮発性メモリによって実現される。
【００３８】
第２メモリ１０は、第１操作部２および第２操作部３のいずれか一方によって入力された情報、たとえば第１操作部２および第２操作部３のシャッタキーのうちのいずれか一方が操作されることによって、撮像部８によって生成された画像情報を記憶する指令が入力された場合に、この指令に応答した制御部１１によって与えられる制御信号に基づいて、第１メモリ９に記憶された画像データを記憶する。また第２メモリ１０には、第１操作部２によって入力された文字データ、通信制御部１９を介して受信した画像データおよび文字データなどが記憶される。
【００３９】
前記第２メモリ１０は、たとえばフラッシュメモリ、ＥＰＲＯＭ（Erasable
Programmable Read Only Memory）およびＥＥＰＲＯＭ（Electrically EPROM）などの不揮発性メモリによって実現される。
【００４０】
前記第２メモリ１０に記憶される文字データには、電話帳データ、予め定める通知先を表す通知先情報が含まれる。電話帳データは、電話番号情報、電子メールのアドレス情報およびこれらの電話番号情報および電子メールのアドレス情報に対応する識別情報、たとえば氏名の情報などを含む。通知先情報は、電話番号情報を含む。
【００４１】
前記予め定める通知先を表す通知先情報は、電話帳データのうちの予め定める電話番号情報に対応する。通知先情報は、外部接続部４１に所定の情報が与えられたときに、無線部２０によって発信が行なわれる電話番号情報である。たとえば前述した第１操作部２の操作キー２ａを操作することによって、制御部１１がこの操作に応答して、電話帳データのうち、いずれの電話番号情報を通知先情報とするのかを第２メモリ１０に記憶させることができる。通知先登録部は、第２メモリ１０を含む。
【００４２】
また第２メモリ１０には、本体接続部２４に与えられる所定の指令情報に基づいて、前記予め定める通知先に、発呼するか否かを示すイヤホン発信設定情報が記憶される。本体接続部２４に与えられる所定の指令情報に基づいて、予め定める通知先に発呼するさせる場合には、イヤホン発信が有効であることを示すイヤホン発信設定情報が記憶され、本体接続部２４に与えられる所定の指令情報に基づいて、予め定める通知先に発呼させない場合には、イヤホン発信が無効であることを示すイヤホン発信設定情報が記憶される。
【００４３】
また第２メモリ１０には、本体接続部２４に与えられる所定の情報に基づいて、撮像部８によって生成される画像情報を、第２メモリ１０に記憶させるか否かを表すレリーズ設定情報が記憶される。本体接続部２４に与えられる所定の情報に基づいて、撮像部８によって生成される画像情報を第２メモリ１０に記憶させる場合には、レリーズ設定が有効であることを示すレリーズ設定情報が記憶され、本体接続部２４に与えられる所定の情報に基づいて、撮像部８によって生成される画像情報を第２メモリ１０に記憶させない場合には、レリーズ設定が無効であることを示すレリーズ設定情報が記憶される。
【００４４】
また第２メモリ１０には、第１および第２操作部２，３のシャッタキーのいずれか一方を操作したときに、第２メモリ１０に画像データを記憶させることを表す音声情報、具体的にはシャッタ音を出力する場所を示す出力選択情報が記憶される。出力選択情報は、本体音声出力部２３および本体接続部２４の少なくともいずか一方を表す。
【００４５】
また第２メモリ１０には、この第２メモリ１０に音声情報を記憶させるときに、本体音声入力部２２および本体接続部２４のいずれから与えられる音声情報を記憶させるのかを表す入力選択情報が記憶される。入力選択情報は、本体音声出力部２３および本体接続部２４の少なくともいずれか一方を表す。
【００４６】
制御部１１は、中央演算処理装置（Central Processing Unit；略称ＣＰＵ）を含んで実現される。制御部１１は、内部に制御プログラムを保存する保存領域を有し、この保存されている制御プログラムに基づいて、携帯型通信装置１を構成する各部、つまり第１操作部２、第２操作部３、カメラ部６、画像処理部７、第１メモリ９、第２メモリ１０、第１表示ドライバ部１２、第２表示ドライバ部１３、第１バックライトユニット１４、第２バックライトユニット１５、通信制御部１９および音声処理部２１を制御する。制御部１１は、第１操作部２および第２操作部３によって入力される情報、および後述する開閉検出部１６から与えられる検出情報に応答して携帯型通信装置１を構成する各部に制御信号を与えて、その動作を制御する。前記制御プログラムには、無線部２０によって予め定める通知先に発呼するためのプログラム、無線部２０によって電子メールを送受信するためのプログラムが含まれ、制御部１１は、後述する通信制御部１９を制御して、予め定める通知先に発呼させたり、電子メールを所定の通知先に送信させたり、また電子メールを受信させたりすることができる。
【００４７】
また制御部１１は、第１操作部２および第２操作部３のうちいずれか一方によって入力される撮像部８によって撮像するための情報に応答する。撮像部８によって撮像するための情報が第１操作部２によって入力された場合には、制御部１１は、この第１操作部２に対応する第１表示部４に前記撮像部によって生成された画像情報を表示させる。撮像部８で撮像するための情報が第２操作部３によって入力された場合には、制御部１１は、この第２操作部３に対応する第２表示部５に前記撮像部８によって生成された画像情報を表示させる。
【００４８】
第１操作部２によって撮像部８によって撮像するための情報が入力された場合には、制御部１１は、第１メモリ９を制御して、この第１メモリ９に記憶された画像データを、第１表示ドライバ部１２に与える。第２操作部３によって撮像部８によって撮像するための情報が入力された場合には、制御部１１は、第１メモリ９を制御して、第１メモリ９に記憶された画像データを、第２表示ドライバ部１３に与える。
【００４９】
第１表示ドライバ部１２は、前記画像データおよび文字データに基づいて、第１表示部４の各画素電極に対して駆動電圧を印加する。第２表示ドライバ部１３は、前記画像データおよび文字データに基づいて第２表示部５の各画素電極に対して駆動電圧を印加する。これによって第１表示部４および第２表示部５のうち少なくともいずれか一方に、所定の表示内容が表示される。第１表示部４は、第１表示ドライバ部１２によって駆動され、撮像部８によって生成された画像情報を画像として表示する。第２表示部５は、第２表示ドライバ部１３によって駆動され、撮像部８によって生成された画像情報を画像として表示する。
【００５０】
第１バックライトユニット１４は、表示面側から第１表示部４に臨んで、第１表示部４の背後、言い換えると第１表示部４に表示される表示内容を目視可能な側から第１表示部４を見て、第１表示部４の背後に設けられ、第１表示部４に光を照射する。第２バックライトユニット１５は、表示面側から第２表示部５に臨んで第２表示部５の背後、言い換えると第２表示部５に表示される表示内容を目視可能な側から第２表示部５を見て、第２表示部５の背後に設けられ、第２表示部５に光を照射する。第１および第２バックライトユニット１４，１５は、発光ダイオードなどの発光源と光学フィルタなどで構成した導光板とを含んで構成され、発光源が表示部の周縁部に設けられ、導光板によって第1表示部および第2表示部の全表示領域に光を導く、いわゆるサイドライトタイプのバックライトユニットである。
【００５１】
第１および第２バックライトユニット１４，１５には制御部１１から制御信号が与えられ、発光素子の点灯／消灯、および輝度調整などが行なわれる。第１および第２バックライトユニット１４，１５を設けることによって、携帯型通信装置１の周囲が暗い場合でも、第１表示部４および第２表示部５の少なくともいずれか一方に表示される表示内容を見やすくすることができ、視認性が向上する。
【００５２】
前述した第１および第２バックライトユニット１４，１５は、各々独立して制御部１１によって制御される。たとえば第１表示部４に所定の表示内容が表示されている場合には、制御部１１は、第１バックライトユニット１４の発光素子を点灯させる。またたとえば第２表示部５に所定の表示内容が表示されている場合には、制御部１１は、第２バックライトユニット１５の発光素子を点灯させる。
【００５３】
第１および第２バックライトユニット１５の各発光素子は、操作者によってこれらの発光素子を消灯するための情報が第１操作部２または第２操作部３によって入力されるまで点灯する構成とする。第１および第２バックライトユニット１４，１５の発光素子は、点灯してから予め定める時間が経過すると、制御部１１によって消灯される構成としてもよい。
【００５４】
開閉検出部は、後述する１および第２ケーシング３１，３２の折り畳み状態および展開状態を検出する判定手段である。この開閉検出部は、たとえば第２ケーシング３２に設けられる突起部、第１ケーシング３１に設けられる孔部、状態検出スイッチを含んで構成される。制御部１１は、前記孔部に挿入可能な突起部の位置、換言すれば状態検出スイッチのスイッチング状態に基づいて、たとえば個別接点間に流れる電流を検出可能に構成される。制御部１１は、個別接点間に流れる電流を検出することによって、電流が流れれば第１および第２ケーシング３１，３２が折り畳み状態であると判断する。第１および第２ケーシング３１，３２が展開状態である場合には、個別接点間に電流を流すことができない。したがって制御部１１は、第１および第２ケーシング３１，３２が折り畳み状態でないとつまり展開状態であると判断する。このように携帯型通信装置１においては、制御部１１が、状態検出スイッチのスイッチング状態に基づいて、第１および第２ケーシング３１，３２が展開状態であるのか折り畳み状態であるのかを簡単な構成で容易に検出することができる。
【００５５】
また制御部１１は、本体接続部２４に与えられる所定の指令情報に基づいて、撮像部８、通信制御部１９、第１メモリ９、第２メモリ１０、および音声処理部２１のうちの少なくともいずれか１つを制御する。本体接続部２４に所定の指令情報が与えられたときの制御部１１の処理動作については、後述する図５に示すフローチャートの説明で詳細に述べる。
【００５６】
また制御部１１は、第１操作部２から与えられる所定の指令情報に基づいて、第２メモリ１０に前述したイヤホン発信設定情報を記憶させる。イヤホン発信設定手段は、第１操作部２、制御部１１および第２メモリ１０を含む。
【００５７】
また制御部１１は、第１操作部２から入力される所定の指令情報に基づいて、第２メモリ１０に前述したレリーズ設定情報を記憶させる。レリーズ設定手段は、第１操作部２、制御部１１および第２メモリ１０を含む。
【００５８】
また制御部１１は、第１操作部２から入力される所定の指令情報に基づいて、第２メモリ１０に前述した出力選択情報を記憶させる。出力選択部は、第１操作部２、制御部１１、および第２メモリ１０を含む。第１および第２操作部２，３のシャッタキーのうちのいずれかが操作されると、制御部１１は、第２メモリ１０に記憶される出力選択情報に基づいて、シャッタ音を表す音声情報を、本体音声出力部２３に出力させ、および／または、シャッタ音を表す音声情報を本体接続部２４に与える。
【００５９】
また制御部１１は、第１操作部２から入力される所定の指令情報に基づいて、第２メモリ１０に前述した入力選択情報を記憶させる。入力選択部は、第１操作部２、制御部１１、および第２メモリ１０を含む。第１操作部２によって音声情報を第２メモリ１０に記憶させるための指令情報が入力されると、制御部１１は、第２メモリ１０に記憶される入力選択情報に基づいて、本体音声入力部２２から音声情報を入力させ、および／または、本体接続部２４に与えられる音声情報を第２メモリ１０に記憶させる。
【００６０】
また制御部は、第１および第２操作部３の少なくともいずれか一方から与えられる、撮像部８によって撮像させるための指令情報に基づいて、カメラ部６および画像処理部７に制御指令を与えて、画像情報を生成させる。
【００６１】
無線部２０は、他の通信装置と通信し、少なくとも音声情報を表す音声データを送信および受信する。無線部２０は、アンテナ部１７、無線部１８および通信制御部１９を含む。アンテナ部１７は、無線電波を介して基地局と無線通信を行うときに、音声データ、文字データおよび画像データなどの通信情報を電波として放射し、基地局からの通信情報を取得する。無線部１８は、基地局からアンテナ部１７を介して取得した文字データ、画像データおよび音声データなどの通信情報を復調し、また後述する通信制御部１９から送られてくる文字データ、画像データおよび音声データなどの通信情報を変調して増幅し、アンテナ部１７を介して基地局に送信する。
【００６２】
通信制御部１９は、無線部１８が復調した文字データ、画像データおよび音声データなどの受信データを所定の通信プロトコルに基づいて制御部１１に送る。制御部１１は、通信制御部１９から与えられる音声データを、音声処理部２１に与える。無線部１８、通信制御部１９を介して受信した相手先からの文字データおよび画像データなどの受信データは、第２メモリ１０に保存される。また通信制御部１９は、第２メモリ１０に保存される文字データ、画像データなどの送信データ、および後述する本体音声入力部２２から入力され、音声処理部２１から与えられる音声データを、通信制御部１９に送る。前述した制御部１１は、第１操作部２の操作キー２ａによって入力される電話番号情報を、通信制御部１９に与え、通信制御部１９は、無線部１８を制御して公衆回線網に接続して、電話番号情報に対応する他の通信装置に対して発呼する。
【００６３】
音声処理部２１は、通信制御部１９から与えられる音声データを、本体音声出力部２３および本体接続部２４の少なくともいずれか一方に与える。また音声処理部２１は、本体音声入力部２２および本体接続部２４の少なくともいずれか一方から与えられる音声データを、制御部１１に与える。制御部１１は、他の通信装置と通信する場合には、音声処理部２１から与えられる音声データを通信制御部１９に与え、録音する場合には、音声処理部２１から与えられる音声データを第２メモリ１０に与える。音声処理部２１は、Ｄ／Ａ変換部を有し、制御部１１からデジタル信号で表される音声データを、アナログ信号で表される音声データに変換して本体音声出力部２３および本体接続部２４の少なくともいずれか一方に与える。また音声処理部２１は、Ａ／Ｄ変換部を有し、本体音声入力部２２および本体接続部２４の少なくともいずれか一方から与えられるアナログ信号で表される音声データをデジタル信号で表される音声データに変換して制御部１１に与える。
【００６４】
音声処理部２１は、制御部１１から与えられる制御信号に基づいて、通信制御部１９から与えられる音声データを、本体音声出力部２３および本体接続部２４の少なくともいずれか一方に与え、本体音声入力部２２および本体接続部２４の少なくともいずれか一方から与えられるデータを、制御部１１に与える。
【００６５】
本体音声入力部２２は、たとえばマイクロフォンによって実現され、音声情報を、音声データとして入力する。本体音声出力部２３は、たとえばスピーカによって実現され、音声データに基づいて発音情報を出力する。
【００６６】
本体接続部２４は、後述する外部接続機器４０を着脱自在に接続する。本体接続部２４は、複数のコネクタ端子を有する。本体接続部２４は、制御部１１および音声処理部２１に接続される。複数のコネクタ端子は、制御部１１に接続される端子と、音声処理部２１に接続される端子と、グランド端子とを含む。音声処理部２１に接続される端子は、音声処理部２１から音声情報が与えられる端子と、音声処理部２１に音声情報を与えるための端子とを含む。
【００６７】
本体接続部２４は、本実施の形態ではイヤホンマイクを接続するイヤホンマイクジャックによって実現されるが、たとえばＵＳＢ（Universal Serial Bus）規格のコネクタであってもよく、充電器を接続するためのコネクタであってもよく、少なくとも音声情報および入出力および所定の指令情報の入力が可能であれば、他の規格のコネクタであってもよい。
【００６８】
外部接続機器４０は、外部接続部４１と、この外部接続部４１に与えられる音声情報を出力する外部音声出力部４２と、音声情報を入力して外部接続部４１に与える外部音声入力部４３と、所定の指令情報を入力して外部接続部４１に与える外部指令入力部４４とを有する。外部音声出力部４２は、たとえば２つのイヤホンを含んで実現される。外部音声入力部４３は、たとえばマイクロフォンを含んで実現される。外部指令入力部４４は、１つの操作スイッチ４４ａを含んで実現される。外部音声出力部４２、外部音声入力部４３、および外部指令入力部は、外部接続部４１に対して相対的に移動可能に形成され、具体的には、イヤホン、マイクロフォンおよび操作スイッチ４４ａは、可撓性を有する接続配線である導線４５を介して外部接続部４１と相互に接続される。このように可撓性を有する導線４５を介して、外部接続部４１と外部指令入力部４４の操作スイッチ４４ａとが接続されるので、外部接続機器４０が接続される携帯型通信装置１に、利用者が外部指令入力部４４を操作したときの力が伝達されることが防止される。外部接続機器４０は、いわゆるスイッチ付きのイヤホンマイク装置によって実現される。外部接続部４１は、前述した本体接続部２４に着脱自在に接続される。
【００６９】
外部接続機器４０の外部接続部４１が、本体接続部２４に着脱自在に接続されると、外部指令入力部４４は、制御部１１に接続される端子およびグランド端子に接続され、外部音声出力部４２は、音声処理部２１から音声情報が与えられる端子およびグランド端子に接続され、外部音声入力部４３は、音声処理部２１に音声情報を与えるための端子およびグランド端子に接続される。
【００７０】
制御部１１は、本体接続部２４に外部接続機器４０が接続されたか否かを検出し、本体接続部２４に外部接続機器４０が接続されているとき、通信部２０によって受信した音声データを本体接続部２４に与えるように通信部２０および音声処理部２１を制御し、本体接続部２４から与えられる音声データを通信部２０によって送信するように通信部２０および音声処理部２１を制御する。
【００７１】
発光部２５は、第1〜第３ＬＥＤ（Light Emitting Diode）２５ａを含む。第１ＬＥＤ２５ａは、赤色発光する。第２ＬＥＤ２５ｂは、青色発光する。第３ＬＥＤ２５ｃは、緑色発光する。発光部２５は、制御部１１からの制御指令に基づいて発光し、撮像部８によって被写体を撮像するときに、被写体に光を照射する。
【００７２】
図２〜図４は、携帯型通信装置１の外観を示す斜視図である。図２は、展開状態の携帯型通信装置１の、第１表示部４、第１操作部２および本体接続部２４の関係を示す。図３は、折畳み状態の携帯型通信装置１のカメラ部６の撮像レンズ、発光部２５および外部接続部４１の位置を示す。図４は、折畳み状態の携帯型通信装置１の、第２表示部５、第２操作部および本体接続部の関係を示す。なお図４では、外部接続機器４０を本体接続部２４に接続された状態を示す。
【００７３】
携帯型通信装置１は、第１および第２ケーシング３１，３２とヒンジ部５１とを有する。これら第１および第２ケーシング３１，３２は、略直方体形状を有し、図３および図４に示すような、一表面部３１ａ、３２ａを相互に対向させた折り畳み状態と、図２に示すような展開状態とにわたって、ヒンジ部５１によって相互に角変位自在に連結される。すなわち第１および第２ケーシング３１，３２は、前記折り畳み状態から、ヒンジ部５１と第１ケーシング３１の遊端部５２とを含む仮想一平面と、ヒンジ部５１と第２ケーシング３２の遊端部５３とを含む仮想一平面とのなす角度が、たとえば約１８０°となる位置まで、ヒンジ部５１を中心として相互に角変位自在に構成されている。
【００７４】
携帯型通信装置１は、折り畳み型の携帯電話機に適用しているが、携帯型通信装置１は、折り畳み型の携帯電話装置に必ずしも限定されるものではない。また第１ケーシング３１を第２ケーシング３２に対して相対的にかつ略平行にスライド変位させるスライド式、第１ケーシング３１をその厚み方向に平行な軸線方向まわりに第２ケーシング３２に対して回転変位させる回転式、これら折り畳み型、スライド式、回転式の構造を選択的に組み合わせた種々な携帯電話装置に適用可能である。
【００７５】
第１ケーシング３１には、前記第１操作部２が設けられる。第１操作部２の操作キー２ａは、第１および第２ケーシング３１，３２の一表面部３１ａ，３２ａを相互に対向させた折り畳み状態で、第１ケーシング３１の第２ケーシング３２に対向する領域に設けられる。第２ケーシング３２には、第１表示部４が設けられる。第１表示部４は、第１および第２ケーシング３２の一表面部３１ａ，３２ａを相互に対向させた折り畳み状態で、第２ケーシング３２の第１ケーシング３１に対向する領域に設けられる。
【００７６】
第１表示部４および第１操作部２を、折り畳み状態で第１および第２ケーシング３１，３２の相互に対向する領域にそれぞれ設けることによって、第１および第２ケーシング３１，３２を展開状態としたとき、操作者は第１表示部４を見つつ第１操作部２によって情報を入力することができる。本実施の形態において展開状態とは、次のような状態である。すなわち第１および第２ケーシング３１，３２が相互に対向させた折り畳み状態で相互に対向する領域が、外部に露出する状態であって、操作者が、第１表示部４を目視することができるとともに、第１操作部２を操作することができる状態である。
【００７７】
第２ケーシング３２において第１表示部４の背面側には、前記第２操作部３が設けられる。換言すれば、第２操作部３は、折り畳み状態で第２ケーシング３２の外部に露出する領域、つまり折り畳み状態で第１および第２ケーシング３１，３２が相互に対向する領域を除く領域に設けられる。第１表示部４と第２表示部５とは、互いに離反する向きに表示内容を表示する。
【００７８】
カメラ部６の撮像レンズ６ａは、第１ケーシング３１に設けられる。撮像レンズ６ａは、ヒンジ部５１寄りに設けられる。折畳み状態で、カメラ部６の撮像方向と、第２表示部５が表示内容を表示する向きは、互いに離反する。発光部２５は、撮像レンズ６ａに近接して配設され、撮像部８によって撮像される被写体に光を照射する。
【００７９】
第２操作部３の操作キー３ａおよびシャッタキー３ｂは、第２表示部５の近接して配設される。操作キー３ａおよびシャッタキー３ｂを選択的に操作することで、たとえば撮像画像のズームアップまたはズームダウン、画像データの仮保存および保存することができる。
【００８０】
前述した本体音声入力部２２は、第１ケーシング３１の内部空間で、遊端部５２の中央部に設けられる。第１および第２ケーシング３１，３２を相互に対向させた折り畳み状態で、第１ケーシング３１の第２ケーシング３２に対向する領域の遊端部５２には、前記本体音声入力部２２が設けられる第１ケーシング３１の内部空間と外部空間とを挿通する挿通孔５４が形成される。
【００８１】
前述した本体音声出力部２３は、第２ケーシング３２の内部空間で、遊端部５２の中央部に設けられる。第１および第２ケーシング３２を相互に対向させた折り畳み状態で、第２ケーシング３２の第１ケーシング３１に対向する領域の遊端部５３には、前記本体音声出力部２３が設けられる第２ケーシング３２の内部空間と外部空間とを挿通する挿通孔５５が形成される。第１操作部２の操作キー２ａには、たとえば数字に関数する情報および文字に関する情報を入力するためのテンキーと、十字キーと、決定キーと撮像に関する指令を入力するシャッタキーとが含まれる。
【００８２】
本体接続部２４は、折畳み状態で外部に露出し、たとえば第１ケーシング３１の遊端部５２とヒンジ部５１との間で、第１操作部２の側部に設けられる。このような位置に、本体接続部２４を設けることによって、折畳み状態であっても外部接続機器４０を接続することができ。
【００８３】
図５は、携帯型通信装置１の動作処理を示すフローチャートである。
本体接続部２４に所定の情報が与えられると、ステップｓ０からステップｓ１に移り、動作処理を開始する。本体接続部２４に、外部接続機器４０の外部接続部４１を着脱自在に接続して、外部指令入力部４４の操作スイッチ４４ａを、操作する、具体的には押下することによって、本体接続部に所定の情報が与えられる。制御部１１は、操作スイッチ４４ａが予め定める時間Ｔ以上押圧されると、所定の情報が入力されたと判断する。前記予め定める時間Ｔは、たとえば１秒に選ばれる。このように、予め定める時間以上押圧されないと、制御部１１は、所定の情報が入力されたと判断しないので、不所望に操作スイッチ４４ａが押下されてしまったときに、誤動作してしまうことが防止される。前記予め定める時間は、1秒以下であってもよい、この場合では、制御部１１が反応するまでの時間を短くすることができ、操作性が向上される。
【００８４】
たとえば本体接続部２４の、外部指令入力部４４が接続されるコネクタ端子には、所定の電位が与えられている。外部接続部４１を接続することによって、前記コネクタ端子、導線、操作スイッチ４４ａ、およびグランド端子を含む通電路が形成され、操作スイッチ４４ａのスイッチング態様を変化させると、前記外部指令入力部４４が接続されるコネクタ端子の電位が変化する。制御部１１は、コネクタ端子の電位の変化を検出して、所定の情報が与えられたか否かを判断する。
【００８５】
操作者が、外部指令入力部４４の操作スイッチ４４ａを操作することによって、所定の指令情報を、制御部１１に与えることができる。
【００８６】
次にステップｓ１では、制御部１１は、通信中であるのか否かを判断する。具体的には、制御部１１は、他の通信装置と通信し、音声情報を送信および受信するように無線部２０を制御しているのか否かを判断する。ステップｓ１において、制御部１１が通信中ではないと判断する、すなわち他の通信装置と通信を停止するように無線部２０を制御していると判断すると、ステップｓ２に移る。
【００８７】
ステップｓ２では、制御部１１は、着信中であるか否かを判断する。具体的には、制御部１１は、無線部２０が通信要求を受信したか否かを判断する。ステップｓ２において、制御部１１が着信中ではないと判断する、すなわち無線部２０が通信要求を受信していないと判断すると、ステップｓ３に移る。
【００８８】
ステップｓ３では、制御部１１は、カメラ関連部が動作中であるか否かを判断する。カメラ関連部が動作中とは、制御部１１が撮像部８を制御して、画像情報を生成させている状態、および撮像部によって生成された画像情報を、記憶するように第２メモリ１０を制御している状態を含む。ステップｓ３において、制御部１１が、カメラ関連部が動作中であると判断すると、ステップｓ４に移る。
【００８９】
ステップｓ４では、制御部１１は、レリーズ設定が有効になっているか否かを判断する。具体的には、制御部１１は、第２メモリ１０に記憶されるレリーズ設定情報に基づいて、レリーズ設定が有効状態となっているか否かを判断する。ステップｓ４において、レリーズ設定が有効になっていると制御部１１が判断すると、ステップｓ５に移る。
【００９０】
ステップｓ５では、制御部１１は、画像情報の保存が可能であるか、言い換えればシャッタを切ることができるか否かを判断する。具体的には、制御部１１は、撮像部８によって生成される画像データを、記憶することができるか否かを判断する。ステップｓ５において、画像情報の保存が可能であると制御部１１が判断すると、ステップｓ６に移る。ステップａ５では、たとえば第２メモリ１０に記憶可能な記憶容量が、予め定める容量以上であるか否かを判断することによって、第２メモリ１０に記憶可能な記憶容量が、予め定める容量以上であれば、ステップａ６に移る。
【００９１】
ステップｓ６では、制御部１１は、撮像部８によって生成される画像データを静止画像として、第２メモリ１０に記憶させるとともに、第２メモリ１０に記憶される出力選択情報に基づいて、第２メモリ１０に記憶されたことを表す所定の音声情報を、本体音声出力部２３または本体接続部２４に与えるように音声処理部２１を制御する。ステップｓ６の処理を終了すると、ステップｓ７に移り、処理を終了する。
【００９２】
このように本発明の通信装置１では、外部接続機器４０の外部指令入力部４４を操作することによって、撮像部８によって生成される画像データを、第２メモリ１０に記憶させることができる。外部接続機器４０の、外部音声出力部４２、外部音声入力部４３および外部接続部４１は、外部接続部４１に対して相対的に移動可能であるので、外部指令入力部４４を利用者が操作しても、携帯型通信装置１に利用者が外部指令入力部４４を操作するときの力が伝わることがない。したがって、外部指令入力部４４によって所定の情報を入力すると、外部指令入力部４４をレリーズボタンとして機能させることができ、手ぶれのない、品質の向上された画像情報を第２メモリ１０に記憶させることができる。
【００９３】
また前述した第２メモリ１０に本体音声出力部２３を表す出力選択情報が記憶されていると、制御部１１は、本体音声出力部２３から第２メモリ１０に画像情報を記憶させることを表す音声情報を出力させるように音声処理部２１を制御する。第２メモリ１０に本体接続部を表す出力選択情報が記憶されていると、制御部１１は、第２メモリ１０に画像情報を記憶させることを表す音声情報を、本体接続部２４に与えるように音声処理部２１を制御する。また第２メモリ１０に本体音声出力部２３および本体接続部２４の両者を表す出力選択情報が選択されると、本体音声出力部から第２メモリ１０に画像情報を記憶させることを表す音声情報を出力させるとともに、第２メモリ１０に画像情報を記憶させることを表す音声情報を本体接続部に与えるように音声処理部２１を制御する。第２メモリ１０に画像情報を記憶させることを表す音声情報を本体音声出力部２３および外部接続機器４０の外部音声出力部４２から出力するのかを出力選択部によって、出力選択部によって選択することができるので、利用状況に応じて、前記音声情報を出力させる場所を変えることができるので、利便性が向上する。
【００９４】
前述したステップｓ１において、制御部１１が通信中であると判断する、すなわち他の通信装置と通信するように無線部２０を制御していると判断すると、ステップｓ８に移る。ステップｓ８では、制御部１１は、音声情報の送信および受信を停止させる、すなわち通信を停止するように無線部２０を制御して、ステップｓ７移り、処理を終了する。このように無線部２０によって他の通信装置と通信中のときは、本体接続部２４に所定の指令情報を与えるだけで、容易に通信を停止させることができる。
【００９５】
前述したステップｓ２において、制御部が着信中であると判断する、すなわち無線部２０が通信要求を受信していると判断すると、ステップｓ９に移る。ステップｓ９では、制御部１１は、音声情報の送受信を行うように無線部２０を制御して、無線部２０によって受信した音声情報を、少なくとも本体接続部２４に与え、本体接続部２４に与えられる音声情報を送信させるように無線部２０を制御して、ステップｓ７に移り、処理を終了する。このように無線部２０が通信要求を受信したときに、外部接続機器４０から本体接続部２４に所定の指令情報を与えるだけで、容易に他の通信装置への音声情報の送信し、および他の通信装置からの音声情報の受信することができ、すなわち通話することができ、利便性が向上する。
【００９６】
前述したステップｓ３において、カメラ関連部が動作中ではないと判断すると、ステップ１０に移る。ステップｓ１０では、制御部１１は、イヤホン発信が可能か否かを判断する。具体的には、制御部１１は、第２メモリ１０に記憶されるイヤホン発信設定情報に基づいて、イヤホン発信が有効であり、かつ予め定める通知先情報が記憶されているか否かを判断する。ステップｓ１０において、制御部１１が、イヤホン発信が可能であると判断する、すなわちイヤホン発信が有効であり、かつ予め定める通知先情報が第２メモリ１０に記憶されていると判断すると、ステップｓ１１に移る。
【００９７】
ステップｓ１１では、制御部１１は、予め定める通知先情報に、発呼するように無線部２０を制御して、ステップｓ７に移り、処理を終了する。このように外部接続部４１に所定の指令情報を与えるだけで、第２メモリ１０に記憶されている予め定める通知先情報に対応する他の通信装置に発呼することができ、他の通信装置と容易に通信することができるので、利便性が向上される。
【００９８】
前述したステップｓ４において、制御部１１が、レリーズ設定が有効になっていないと判断すると、ステップｓ１０に移る。
【００９９】
前述したステップｓ１０において、制御部１１が、イヤホン発信が可能ではないと判断する、すなわちイヤホン発信が有効となっていないか、あるいは予め定める通知先情報が第２メモリ１０に記憶されていないと判断すると、ステップｓ７に移り、処理を終了する。
【０１００】
また携帯型通信装置１では、無線部２０が通信しているときには、本体接続部２４に所定の情報が与えられても、撮像部８によって生成される画像情報が第２メモリ１０に記憶されることが防止される。したがって、他の通信装置と通信しているときに、不所望に外部指令入力部４４から所定の情報が入力されて、生成された画像情報が第２メモリ１０に記憶されてしまうことが防止される。また撮像部８によって画像情報が生成されているときに、本体接続部２４に所定の情報が与えられると、撮像部８によって生成している画像情報を第２メモリ１０に記憶させるので、画像情報が第２メモリ１０に記憶されるまでの処理時間を短くすることができる。
【０１０１】
前述したステップｓ５において、画像情報の保存が可能ではないと制御部１１が判断すると、ステップｓ６に移る。
【０１０２】
制御部１１は、撮像部８によって生成される画像データを符号化処理した後、第２メモリ１０に記憶させてもよく、第２メモリ１０に画像処理部７によって生成される画像データを記憶させた後、この画像データを第２メモリ１０から読み出して符号化処理して、再び第２メモリ１０に記憶させてもよい。制御部１１は、第２メモリ１０に記憶される画像データを、たとえばＪＰＥＧ（Joint Photographic Experts Group）方式で符号化処理して、予め定めるデータ形式で第２メモリ１０に記憶させる。前記予め定めるデータ形式は、たとえばＤＰＯＦ（Digital Print Order Format）である。ＤＰＯＦでは、ＪＰＥＧデータとこのＪＰＥＧデータの作成日時などの情報を含む。このようなデータ形式で保存することによって、プリンタなどの印刷装置において、画像情報を、直接印刷することができるようになり、たとえばパーソナルコンピュータなどに画像情報を読取らせてから印刷装置によって印刷する場合と比較して、画像情報を印刷する手間を簡略化することができる。
【０１０３】
また携帯型通信装置１では、レリーズ設定を無効に設定すると、外部指令入力部４４をシャッタキーとして機能させないので、外部指令入力部４４が不所望に操作されることによって、撮像部８によって生成される画像情報が第２メモリ１０に記憶されることを防止することができる。
【０１０４】
前述した携帯型通信装置１は、録音機能を有する。第１および第2操作部２，３のいずれかい一方から、録音させる指令情報が入力されると、制御部１１は、音声処理部２１および第２メモリ１０を制御して、音声処理部に与えられる音声情報に、所定の処理を施して、第２メモリ１０に記憶させる。前記所定の処理は、音声情報の圧縮処理である。制御部１１は、第２メモリ１０に記憶される入力選択情報に基づいて、本体音声入力部２２および本体接続部２４の少なくともいずれか一方から与えられる音声データを、第２メモリ１０に記憶させる。使用状況に応じて、第２メモリ１０に記憶する音声情報を、本体音声入力部２２から入力するのか、外部接続機器４０の外部音声入力部４３から入力するのか、それとも両者から入力するのかを前述した入力選択部によって選択することができるので、利便性が向上する。
【０１０５】
前述した携帯型通信装置１は、動画撮影機能を有する。第１および第2操作部２，３にいずれか一方から、動画撮像させる指令情報が入力されると、制御部１１は、撮像部８、音声処理部２１および第２メモリ１０を制御して、撮像部８によって生成される画像情報、および音声処理部に与えられる音声情報に、所定の処理を施して、第２メモリ１０に記憶させる。前記所定の処理は、画像情報および音声情報の圧縮処理である。前記画像情報の圧縮方法は、たとえばＭＰＥＧ（Motion Picture Experts Group）２によって実現される。前記制御部１１は、画像情報を第２メモリ１０に記憶させた後、第２メモリ１０から画像情報を読み出して圧縮処理してもよい。
【０１０６】
本発明の他の実施の形態では、前述した図５に示すフローチャートのステップｓ６において、撮像部８によって生成された画像情報を、第１メモリ９に静止画像として記憶させて、第１および第2操作部２，３によって、保存するための情報が入力された場合、第１メモリ９に記憶された静止画像を第２メモリ１０に記憶させる構成としてもよい。
【０１０７】
前述した外部接続機器４０において音声情報が伝達される導線と、所定の情報が伝達される導線とは、１つの導線によって実現し、所定の指令情報と、音声情報とが同じ導線を介して伝送されてもよい。この場合、携帯型通信装置１の本体接続部２４のコネクタ端子を少なく構成することができる。このような構成であっても、前述の実施の形態の場合と、同様な効果を得ることができる。
【図面の簡単な説明】
【０１０８】
【図１】本発明の実施の一形態の携帯型通信装置１の構成を表すブロック図である。
【図２】携帯型通信装置１の外観を示す斜視図である。
【図３】携帯型通信装置１の外観を示す斜視図である。
【図４】携帯型通信装置１の外観を示す斜視図である。
【図５】携帯型通信装置１の動作処理を示すフローチャートである。
【符号の説明】
【０１０９】
１  携帯型通信装置
８  撮像部
９  第１メモリ
１０  第２メモリ
１１  制御部
２０  通信部
２２  本体音声出力部
２３  本体音声入力部
２４  本体接続部
４０  外部接続機器
【図１】
2005277467.tif 000003
【図２】
2005277467.tif 000004
【図３】
2005277467.tif 000005
【図４】
2005277467.tif 000006
【図５】
2005277467.tif 000007